(57)【要約】【課題】建物の躯体に互いに独立して取り付けられた２枚のパネルにまたがって付属物を取り付ける場合であっても、地震等の外力によりパネルもしくは付属物が損傷する恐れの少ない付属物取付構造を提供する。【解決手段】複数のパネル２を互いに独立して建物の躯体に取り付けてなる外壁１０１に、複数のパネル２にまたがって付属物１を締結具４１によって取り付ける付属物取付構造１００であって、締結具４１は、パネル２から突出した形状をなし、付属物１は、締結具挿通孔２２，２３を有し、締結具４１を締結具挿通孔２２，２３に挿通させた状態で締結具４１に保持されており、複数のパネル２の内、１つのパネル２以外のパネル２の締結具４１が挿通されている締結具挿通孔２２は、１つのパネル２の締結具４１が挿通されている締結具挿通孔２３よりも大きな内径を有する【選択図】図１
2019002227.tif 000002
【特許請求の範囲】
【請求項１】
複数のパネルを互いに独立して建物の躯体に取り付けてなる外壁に、前記複数のパネルにまたがって付属物を締結具によって取り付ける付属物取付構造であって、
前記締結具は、前記パネルから突出した形状をなし、
前記付属物は、締結具挿通孔を有し、前記締結具を前記締結具挿通孔に挿通させた状態で前記締結具に保持されており、
前記複数のパネルの内、１つのパネル以外のパネルの前記締結具が挿通されている前記締結具挿通孔は、前記１つのパネルの前記締結具が挿通されている前記締結具挿通孔よりも大きな内径を有することを特徴とする付属物取付構造。
【請求項２】
前記締結具挿通孔は、円形の孔であることを特徴とする請求項１に記載の付属物取付構造。
【請求項３】
前記パネルは、パネル側挟持部を有し、
前記締結具は、突出方向先端側に挟持部を有し、
前記付属物は、前記パネル側挟持部と前記挟持部とに挟持されて前記締結具に保持されていることを特徴とする請求項１に記載の付属物取付構造。
【発明の詳細な説明】
【技術分野】
【０００１】
本発明は、建物の外壁に看板等の付属物を取り付ける構造に関するものである。
【背景技術】
【０００２】
従来、建物の外壁に看板等の付属物を取り付ける構造としては、付属物を外壁にボルトで固定しているものがある（例えば、特許文献１参照）。この構造は、付属物の取付部にボルト挿通孔を設け、ボルト挿通孔にボルトを挿通させ且つ、ボルトの頭部と外壁とで取付部を挟むようにして、付属物を外壁に取り付けている。
【０００３】
ところで、外壁としては、パネル式の外壁であって、例えば、上下左右に連続するパネルからなる外壁がある。この外壁においては、パネルは、地震時における躯体の変形に追従可能となるように、それぞれ独立して建物の躯体に取り付けられている（例えば、特許文献２参照）。このようにすることにより、地震時におけるパネルの損傷を防止している。具体的な取付構造としては、それぞれのパネルの上端部中央と下端部中央に突設されたＯボルトを梁から突設された金物に取り付けることにより、パネルを建物の躯体に取り付けている。
【０００４】
付属物をこのようなパネル式の外壁の２枚のパネルにまたがって取り付ける場合、付属物は、２枚のパネルにそれぞれ単にボルトで固定していた。
【先行技術文献】
【特許文献】
【０００５】
【特許文献１】特開平７−１２９０９０号公報
【特許文献２】特開平８−３１２０４１号公報
【発明の概要】
【発明が解決しようとする課題】
【０００６】
しかし、このような付属物取付構造であると、地震等の外力によって２枚のパネルがそれぞれ独立して動いた場合、付属物は、一方のパネルの動きに追従しようとするだけでなく、他方のパネルの動きにも追従しようとする。従って、その結果、付属物を変形する方向に力がかかり、付属物或いはパネルに損傷が生じる恐れがあるという問題があった。
【０００７】
本発明は、上記に鑑みてなされたものであって、建物の躯体に互いに独立して取り付けられた２枚のパネルにまたがって付属物を取り付ける場合であっても、地震等の外力によりパネルもしくは付属物が損傷する恐れの少ない付属物取付構造を提供することを目的とする。
【課題を解決するための手段】
【０００８】
上述した課題を解決し、目的を達成するために、本発明に係る付属物取付構造は、複数のパネルを互いに独立して建物の躯体に取り付けてなる外壁に、前記複数のパネルにまたがって付属物を締結具によって取り付ける付属物取付構造であって、前記締結具は、前記パネルから突出した形状をなし、前記付属物は、締結具挿通孔を有し、前記締結具を前記締結具挿通孔に挿通させた状態で前記締結具に保持されており、前記複数のパネルの内、１つのパネル以外のパネルの前記締結具が挿通されている前記締結具挿通孔は、前記１つのパネルの前記締結具が挿通されている前記締結具挿通孔よりも大きな内径を有することを特徴とする。
【０００９】
本発明に係る付属物取付構造においては、前記締結具挿通孔は、円形の孔であるとよい。
【００１０】
本発明に係る付属物取付構造においては、前記パネルは、パネル側挟持部を有し、前記締結具は、突出方向先端側に挟持部を有し、前記付属物は、前記パネル側挟持部と前記挟持部とに挟持されて前記締結具に保持されているとよい。
【発明の効果】
【００１１】
上述の構成によれば、付属物を取り付ける複数のパネルの内、１つのパネル以外のパネルに備えられた締結具が挿通されている締結具挿通孔が、１つのパネルに備えられた締結具が挿通されている締結具挿通孔よりも大きいので、１つのパネル以外のパネルに備えられた締結具が挿通されている締結具挿通孔内に締結具が移動可能な隙間があり、地震等の外力がかかった際に複数のパネルが独立して動いたとしても、その際の変位をその隙間で吸収でき、パネルもしくは付属物が損傷することを防止することができる。
【図面の簡単な説明】
【００１２】
【図１】図１は、本発明の実施の形態１である付属物取付構造の平断面図である。
【図２】図２は、図１に示した付属物取付構造の正断面図である。
【図３】図３は、図１に示した付属物取付構造のアンカーボルトとナットと座金とを取り外した状態を示す正断面図である。
【図４】図４は、図１に示した付属物取付構造の側断面図である。
【図５】図５は、図１に示した付属物取付構造の第二取付部を示す要部拡大断面図である。
【図６】図６は、図１に示した付属物取付構造の第一取付部を示す要部拡大断面図である。
【発明を実施するための形態】
【００１３】
以下に添付図面を参照して、本発明に係る付属物取付構造の好適な実施の形態について図１〜図６に基づいて詳細に説明する。本実施の形態では、一例として、看板等の付属物を外壁１０１を構成する左右方向に隣合う２枚のパネル２に取り付ける場合の付属物取付構造１００について説明する。
【００１４】
パネル２は、長方形板状をなし、上下左右に並設されている。パネル２は、所謂ロッキング構法によって建物の躯体に配設されている。ロッキング構法は、地震や風圧等による躯体の上側構造体と下側構造体との層間変形に対して、各パネル２が１枚ずつ独立して下側構造体に対して微小回転し、パネル２間の目地がずれることにより、その層間変形に追随する取付構法である。パネル２が層間変形に追随することにより、パネル２が損傷することを防止することができる。
【００１５】
パネル２は、例えば、図４に示すように、上部中央が上側梁５１（上側構造体）に金具５５を介してボルト５４によって取り付けられ、下部中央が下側梁５２（下側構造体）に金具５３を介してボルト５４によって取り付けられている。パネル２には、付属物１に対応する位置に複数のアンカーボルト４１（締結具）が配設されている。パネル２には、アンカーボルト４１が挿通されるボルト挿通孔２４が形成されている。アンカーボルト４１は、ボルト挿通孔２４に挿通されるとともに、座金４７を介してナット４６（パネル側挟持部）によってパネル２に固定されている。アンカーボルト４１は、先端がパネル２の表面から突出するように配設されている。
【００１６】
付属物１は、図１に示すように、表示部１Ａと取付部１Ｂとを備えている。表示部１Ａは、長方形板状の表示本体部１０と、表示本体部１０の四方を表示本体部１０と垂直に折り曲げた形状に形成された表示耳部１１と、を有している。取付部１Ｂは、長方形板状の取付本体部２０と、取付本体部２０の四方を取付本体部２０と垂直に折り曲げた形状に形成された取付耳部２１と、を有している。表示部１Ａと取付部１Ｂは、それぞれ、表示耳部１１と取付耳部２１を重ね合わせて、ビス３０で互いを固定している。
【００１７】
取付本体部２０は、図３に示すように、付属物１が取り付けられる２枚のパネルのうち一方のパネル２に取り付けられる第一取付部２５と、他方のパネル２に取り付けられる第二取付部２６を有している。第一取付部２５には、２つの第一締結具挿通孔２２が形成されている。第一締結具挿通孔２２は、図３において、左側に上下に配置されている。第一締結具挿通孔２２には、パネル２に配設されたアンカーボルト４１のねじ部分が挿通されている。第一締結具挿通孔２２は、後述する第二締結具挿通孔２３より大きな穴径を有した円形に開口した孔である。第一締結具挿通孔２２の穴径は、設計時に設定した、上側梁５１と下側梁５２との間の外壁１０１に沿った方向の最大の層間変位を吸収可能な大きさに形成されている。最大の層間変位は、例えば、層間変形角が１／２００の場合の層間変位である。ボルト挿通孔２４は、図３において、第一締結具挿通孔２２の上下左右の中心となる位置に配設されている。従って、アンカーボルト４１は、図３において、第一締結具挿通孔２２の上下左右の中心に挿通されている。
【００１８】
図６に示すように、アンカーボルト４１の突出方向先端には、座金４３を介してナット４２（挟持部）が嵌め込まれている。座金４３は、取付本体部２０の表裏に配設されている。座金４３は、第一締結具挿通孔２２の径よりも大きな外径を有したものである。座金４３の内径は、第一締結具挿通孔２２の径よりも小さい。第一取付部２５は、座金４３と座金４３とによって挟持され、更に、座金４３を介してナット４２とナット４６とによって挟持されている。パネル２とアンカーボルト４１との間は、シーリング材４８が充填されている。
【００１９】
第二取付部２６には、図３に示すように、２つの第二締結具挿通孔２３が形成されている。第二締結具挿通孔２３は、図３において、右側に上下に配置されている。第二締結具挿通孔２３には、パネル２に配設されたアンカーボルト４１のねじ部分が挿通されている。第二締結具挿通孔２３は、アンカーボルト４１を挿通するのに必要十分な穴径を持つ円形に開口した孔である。
【００２０】
図５に示すように、アンカーボルト４１の突出方向先端には、座金４４を介してナット４２が嵌め込まれている。取付本体部２０の裏側には、座金４５が配設されている。座金４４，４５は、第二締結具挿通孔２３よりも大きな外径を有したものである。座金４４，４５の内径は、第二締結具挿通孔２３の径と同等の大きさである。
【００２１】
第二取付部２６は、座金４４と座金４５とによって挟持され、更に、座金４４と座金４５とを介してナット４２とナット４６とによって挟持されている。座金４７とナット４６はシーリング材４９で覆われている。パネル２とアンカーボルト４１との間は、シーリング材が充填されている。このようにして、付属物１は、アンカーボルト４１の先端を締結具挿通孔２２，２３に挿通させた状態でアンカーボルト４１に保持されている。
【００２２】
上述したように、第一締結具挿通孔２２は、第二締結具挿通孔２３よりも内径が大きな孔であるので、第一締結具挿通孔２２には、アンカーボルト４１のねじ部分が付属物１に対して付属物１に沿った方向に移動する隙間がある。従って、例えば、地震等の外力がかかった際に２枚のパネル２がそれぞれ独立して下部構造体に対して微小回転したとしても、その際の変位をその隙間で吸収でき、パネル２もしくは付属物１が損傷することを防止することができる。
【００２３】
尚、本実施の形態では、隣り合う２枚のパネル２に付属物１を取り付けているが、付属物１を取り付ける２枚のパネル２の間に、他のパネル２が配設されていてもよい。本実施の形態では、左右に並ぶパネル２に付属物１を取り付けているが、上下に並ぶパネル２に付属物１を取り付けても良いし、斜めに並ぶパネル２に付属物を取り付けても良い。本実施の形態では、第一締結具挿通孔２２は円形の孔であるが、円形でなくてもよく、例えば、楕円形や多角形でもよい。本実施の形態では、アンカーボルト４１が締結具を構成しているが、ボルトによって締結具を構成してもよい。その際は、ボルトの頭が挟持部であり、ボルトのねじ部分が棒状部となる。その際のパネル側挟持部は、パネル２の板面であってもよい。
【００２４】
また、例えば、左右方向に並ぶ３枚のパネル２のそれぞれにアンカーボルト４１を設け、付属物１を取り付けてもよい。その際には、付属物１の取付本体部２０において、中央のパネル２に取り付ける部分に第二取付部２６を形成し、中央のパネル２の両隣にあるパネル２に取り付ける部分に第一取付部２５を形成してもよい。第二取付部２６においては、第二締結具挿通孔２３を４つ設けてもよい。この場合、中央のパネル２に取り付けられるアンカーボルト４１も４つとなる。
【００２５】
また、左右方向に並ぶ３枚のパネル２のそれぞれにアンカーボルト４１を設け、付属物１を取り付ける場合に、付属物１の取付本体部２０において、左端のパネル２に取り付ける部分に第二取付部２６を形成し、中央及び右端のパネル２に取り付ける部分に第一取付部２５を形成してもよい。その際に、第一取付部２５においては、第一締結具挿通孔２２を４つ設けてもよいし、第二取付部２６においては、第二締結具挿通孔２３を４つ設けてもよい。この場合、各パネル２に取り付けられるアンカーボルト４１も４つとなる。
【００２６】
複数のパネル２に付属物１を取り付ける際に、付属物１の取付本体部２０において、複数のパネル２の内の１つのパネルに対応するように第二取付部２６を設け、他のパネル２に対応する部分に第一取付部２５を設ければよい。第一取付部２５における第一締結具挿通孔２２、第二取付部２６における第二締結具挿通孔２３及びそれらに対応するアンカーボルト４１は、複数あってもよいし、１つでもよい。
【符号の説明】
【００２７】
１    付属物
２    パネル
２５    第一取付部
２６    第二取付部
４１    アンカーボルト（締結具）
４２    ナット（挟持部）
４６    ナット（パネル側挟持部）
１００    付属物取付構造
１０１    外壁
【図１】
2019002227.tif 000003
【図２】
2019002227.tif 000004
【図３】
2019002227.tif 000005
【図４】
2019002227.tif 000006
【図５】
2019002227.tif 000007
【図６】
2019002227.tif 000008